(57)【要約】【課題】地下に設置されるコンクリート躯体の底壁を形成する型枠を脱枠するなどの作業を削減することができ、排水機能を経年に渡って保持することができる暗渠を備えたコンクリート躯体およびその構築方法を提供することを目的とする。【解決手段】地盤２０を掘削し所定の深さに水平な基盤３０を形成する掘削工程と、砕石もしくはクラッシャランを中詰めした多数の土嚢４１を互いに隣接させ形成した一続きの段を基盤３０上に複数段積み上げ、その端部が排水溝１０２に面する暗渠４０を形成する暗渠形成工程と、基盤３０に対して配筋６０を行なう配筋工程と、積み上げた土嚢４１を型枠としてコンクリートを打設しコンクリートからなる底壁１１を形成する底壁形成工程と、配筋６０を用い底壁１１に連続するコンクリートからなる側壁１２を形成する側壁形成工程と、を具備する暗渠を備えたコンクリート躯体１０の構築方法。【選択図】図２
2005133306.tif 000002
【特許請求の範囲】
【請求項１】
地盤を掘削し所定の深さに水平な基盤を形成する掘削工程と、
砕石もしくはクラッシャランを中詰めした多数の土嚢を互いに隣接させて形成した一続きの段を前記基盤上に複数段積み上げて、その端部が排水溝に面する暗渠を形成する暗渠形成工程と、
前記基盤に対して配筋を行なう配筋工程と、
前記積み上げた土嚢を型枠としてコンクリートを打設しコンクリートからなる底壁を形成する底壁形成工程と、
前記配筋を用いて前記底壁に連続するコンクリートからなる側壁を形成する側壁形成工程と、
を具備することを特徴とする暗渠を備えたコンクリート躯体の構築方法。
【請求項２】
地表面より下に位置するコンクリートよりなる底壁と、
該底壁から上方に連続して設けられるコンクリートよりなる側壁と、
砕石もしくはクラッシャランを中詰めした多数の土嚢が互いに隣接して形成された一続きの段が複数段積み重なった前記底壁の外側に隣接し且つその端部が排水溝に面する暗渠と、
を具備することを特徴とする暗渠を備えたコンクリート躯体。
【請求項３】
透水性不織布が前記暗渠の少なくとも上部を覆うことを特徴とする請求項２に記載の暗渠を備えたコンクリート躯体。
【発明の詳細な説明】
【技術分野】
【０００１】
本発明は、暗渠を備えたコンクリート躯体、特に地下車庫など地下に設置されるコンクリート躯体及びその構築方法に関するものである。
【背景技術】
【０００２】
従来、支保工により堰板を固定して木型枠を組みコンクリートを打設し底壁を形成することにより、地下車庫など地下に設置されるコンクリート躯体を構築していた。詳しくは、まず、地盤を掘削し砂利などを敷き詰めた上に、水平な捨てコンクリートを形成する。次に、桟木などの支保工によりコンクリートパネルなどの堰板を捨てコンクリートの上に固定し、木型枠を組立てる。また、捨てコンクリートの上にスペーサなどを用いて所定の配筋を行なう。木型枠にコンクリートを打設し、硬化させた後に木型枠を脱枠し、コンクリート躯体の底壁を形成する。更に、コンクリート躯体の背面や側面に流れ込む雨水や地下水を円滑に排水するために、砕石やクラッシャランを撒き出したり、排水パイプとしての有孔管を敷設して、地下に設ける水路である暗渠を形成する。また、前記配筋を用いて型枠を架設して、コンクリート躯体の側壁を形成する。その後、土砂を埋め戻した後、埋め戻し土砂の体積縮小を防止するために転圧を行なう。なお、現地にて発生した土を詰めた土嚢を基盤上に複数段ずつ積み上げコンクリートを打設することを、所望の施工高さになるまで交互に繰り返し行なうことにより、砂防ダム等を構築することもあった（例えば、特許文献１参照）。
【特許文献１】特開平１０−２６６１６８号公報
【発明の開示】
【発明が解決しようとする課題】
【０００３】
しかしながら、従来の地下に設置されるコンクリート躯体を構築する方法においては、コンクリート躯体の底壁を形成した後に、この底壁を形成するために用いた木型枠は不用となり脱枠する作業が必要であった。また、この木型枠は桟木などの支保工により支持し補強する必要があった。また、この木型枠の施工が不適切であると、打設するコンクリートの圧力によって木型枠が崩れることがあった。また、桟木などの支保工が多数存在するので、特にコンクリートを打設する際に、作業者の自由な動きが妨げられていた。
【０００４】
また、砕石やクラッシャランを撒き出して暗渠を形成した場合には、埋め戻し土砂などの細かな粒子が暗渠内の空隙部に侵入し目詰まりを起こすので、経年の使用によって暗渠が排水機能を失ってしまうことがあった。また、有孔管を敷設して暗渠を形成した場合には、有孔管を深い部分に埋設すると、その上に堆積する土砂の重みによる圧力によって、有孔管が変形し破損することがあった。また、有孔管を埋設した周辺においては、有孔管の破損を防止するために、埋め戻し土砂に対する十分な転圧を行なうことができないので、埋め戻し土砂の体積が収縮することがあった。
【０００５】
本発明は、上記した事情や問題に鑑みてなされたものであり、地下に設置されるコンクリート躯体の底壁を形成する際に用いる型枠の脱枠などの作業を削減することができ、排水機能を経年に渡って保持することができる暗渠を備えたコンクリート躯体およびその構築方法を提供することを目的とする。
【課題を解決するための手段】
【０００６】
当該目的を達成するために、請求項１に記載の暗渠を備えたコンクリート躯体の構築方法は、地盤を掘削し所定の深さに水平な基盤を形成する掘削工程と、砕石もしくはクラッシャランを中詰めした多数の土嚢を互いに隣接させて形成した一続きの段を前記基盤上に複数段積み上げて、その端部が排水溝に面する暗渠を形成する暗渠形成工程と、前記基盤に対して配筋を行なう配筋工程と、前記積み上げた土嚢を型枠としてコンクリートを打設しコンクリートからなる底壁を形成する底壁形成工程と、前記配筋を用いて前記底壁に連続するコンクリートからなる側壁を形成する側壁形成工程と、を具備することを特徴としている。
【０００７】
請求項２に記載の暗渠を備えたコンクリート躯体は、地表面より下に位置するコンクリートよりなる底壁と、該底壁から上方に連続して設けられるコンクリートよりなる側壁と、砕石もしくはクラッシャランを中詰めした多数の土嚢が互いに隣接して形成された一続きの段が複数段積み重なった前記底壁の外側に隣接し且つその端部が排水溝に面する暗渠と、を具備することを特徴としている。
【０００８】
請求項３に記載の暗渠を備えたコンクリート躯体は、請求項２に記載のコンクリート躯体において、透水性不織布が前記暗渠の少なくとも上部を覆うことを特徴としている。
【発明の効果】
【０００９】
請求項１に記載の暗渠を備えたコンクリート躯体の構築方法によれば、地盤を掘削し水平な基盤を形成する掘削工程と、多数の土嚢を互いに隣接させて形成した一続きの段を基盤上に複数段積み上げて、その端部が排水溝に面する暗渠を形成する暗渠形成工程と、基盤に対して配筋を行なう配筋工程と、積み上げた土嚢を型枠としてコンクリートを打設しコンクリートからなる底壁を形成する底壁形成工程と、配筋を用いて底壁に連続するコンクリートからなる側壁を形成する側壁形成工程と、を具備している。従って、コンクリート躯体の底壁を形成した後に、この底壁を形成する型枠として用いた積み上げた土嚢を取り除く必要がないので、型枠を脱枠する作業を削減することができる。また、砕石もしくはクラッシャランを中詰めした土嚢は重量物であるので、打設するコンクリートの圧力によって、型枠として積み上げた土嚢が崩れないようにできるため、型枠を桟木などの支保工により支持し補強する作業を削減することができる。また、桟木などの支保工の数量を削減することができるので、コンクリートを打設する際などにおいて、作業者がより自由に動き作業することができる。
【００１０】
更に、砕石もしくはクラッシャランを中詰めした多数の土嚢が互いに隣接して形成された一続きの段を複数段積み上げてその端部が排水溝に面する暗渠を形成し、この積み上げた土嚢をコンクリート躯体の底壁を形成するための型枠として用いるので、暗渠と底壁を形成するための型枠とを同時に形成することができ、作業効率を向上することができる。また、積み上げられた土嚢による暗渠は、地中の深い部分に形成しても、有孔管などを埋設して暗渠を形成した場合に比べて、その上に堆積する土砂などの重みによる圧力によって変形することがない。また、積み上げられた土嚢による暗渠は、有孔管などを埋設して暗渠を形成した場合に比べて、埋め戻し土砂に対する転圧によって破損することがないので、十分な転圧を行なうことができ、埋め戻し土砂の体積収縮を削減することができる。また、積み上げられた土嚢による暗渠はその端部が排水溝に面するので、別の暗渠を形成する必要がなく、作業効率を向上することができる。
【００１１】
更に、砕石もしくはクラッシャランを中詰めした多数の土嚢が互いに隣接して形成された一続きの段を複数段積み上げて暗渠を形成しているので、土嚢の排水性が良いため、作業中に降雨などがあったとしても、積み上げられた土嚢の上で作業を行なえば、作業者の足元はぬかるむことがないため、より良好な状態で作業を行なうことができ、作業効率を向上することができる。また、作業者の靴裏などに泥などが付着することを削減することができるため、前面道路などの周囲を泥などにて汚すことを防止することができる。更に、砕石もしくはクラッシャランを土嚢に中詰めするために用いる土嚢袋などが、暗渠の上に堆積される埋め戻し土砂などの土砂が土嚢の中に侵入し目詰まりが生じることを防止するので、暗渠が排水機能を経年に渡って保持することができる。
【００１２】
請求項２に記載の暗渠を備えたコンクリート躯体によれば、地表面より下に位置するコンクリートよりなる底壁と、該底壁から上方に連続して設けられるコンクリートよりなる側壁と、砕石もしくはクラッシャランを中詰めした多数の土嚢が互いに隣接して形成された一続きの段が複数段積み重なった底壁の外側に隣接し且つその端部が排水溝に面する暗渠と、を具備している。従って、積み重なった土嚢による暗渠は、地中の深い部分に形成されていても、有孔管などを埋設した暗渠に比べて、その上に堆積する土砂などの重みによる圧力によって変形することがない。また、砕石もしくはクラッシャランを土嚢に中詰めするために用いられている土嚢袋などが、暗渠の上に堆積される埋め戻し土砂などの土砂が土嚢の中に侵入し目詰まりが生じることを防止するので、暗渠が排水機能を経年に渡って保持することができる。また、積み重なった土嚢による暗渠は、その端部が排水溝に面するので、コンクリート躯体の周囲に流れ込む雨水や地下水をこの暗渠によって排水溝に排水することができる。
【００１３】
請求項３に記載の暗渠を備えたコンクリート躯体によれば、透水性不織布が暗渠の少なくとも上部を覆うので、暗渠の上に堆積される埋め戻し土砂などの細かな土砂が土嚢の中に侵入し目詰まりを起こすことを防止するので、暗渠が排水機能を更に経年に渡って保持することができる。
【発明を実施するための最良の形態】
【００１４】
地下に設置されるコンクリート躯体の底壁を形成する際に用いる型枠を脱枠するなどの作業を削減することができ、排水機能を経年に渡って保持することができる暗渠を備えたコンクリート躯体およびその構築方法という目的を、多数の土嚢を互いに隣接させて形成した一続きの段を複数段積み上げて暗渠を形成し、積み上げた土嚢を型枠としてコンクリートを打設しコンクリートからなる底壁を形成することにより実現した。
【００１５】
以下、本発明を実施するための最良の形態に係る暗渠を備えたコンクリート躯体の構築方法について図面に基づいて説明する。該暗渠４０を備えたコンクリート躯体１０の構築方法は、図１（ａ）から図１（ｃ）、図２（ａ）から図２（ｃ）及び図３に示すように、地盤２０を掘削し所定の深さに水平な基盤３０を形成する掘削工程と、砕石もしくはクラッシャランを中詰めした多数の土嚢４１を互いに隣接させて形成した一続きの段を基盤３０上に複数段積み上げて、その端部が排水溝１０２に面する暗渠４０を形成する暗渠形成工程と、基盤３０に対して配筋６０を行なう配筋工程と、積み上げた土嚢４１を型枠としてコンクリートを打設しコンクリートからなる底壁１１を形成する底壁形成工程と、配筋６０を用いて底壁１１に連続するコンクリートからなる側壁１２を形成する側壁形成工程と、埋め戻し土砂７０を埋め戻す埋め戻し工程と、を具備する構築方法である。ここでは、コンクリート躯体１０として地下構造物である地下車庫１０を構築する場合を例に挙げて説明する。この地下車庫１０は、図３に示すように、家屋本体１００が構築される予定の地盤２０の地表面ＧＬより低い位置に設けられている道路１０１に、道路１０１の端の排水溝１０２を挟んで、車の出入口となる前面を開放させて構築するものである。なお、この地下車庫１０は半地下形式であってもよく、少なくとも地下車庫１０の底壁１１が地表面ＧＬより下に位置していればよい。
【００１６】
まず、図１（ａ）に示すように、地盤２０を掘削し所定の深さに水平な基盤３０を形成する掘削工程を行なう。２点鎖線にて示された掘削前の地盤２０を掘削して根切り工事を行った後、根切り底（不図示）に割栗石や砂利など（不図示）を敷き詰め、その上にコンクリートを打設して、上面が水平となるように平板状の厚さ５ｃｍ程度の捨てコンクリートを基盤３０として形成する。
【００１７】
次に、図１（ｂ）に示すように、多数の土嚢４１を互いに隣接させて形成した一続きの段を基盤３０上に複数段積み上げて、暗渠４０を形成する暗渠形成工程を行なう。暗渠４０は、地下車庫であるコンクリート躯体１０の背面や側面に流れ込む雨水や地下水を円滑に排水するために設けられるものである。ここで、土嚢４１として、例えば特許第３１８７８０４号にて開示されたものを用いることができる。この土嚢は、織布または不織布からなる土嚢袋の中に土またはその代替物が中詰めされ、ほぼ箱状に成形されて土嚢袋の口が締められており、圧縮耐力や剪断耐力に関する性能が表示され確保されているものである。ただし、土嚢４１には、岩石をクラッシャーなどで粉砕または割砕した粗骨材である砕石やクラッシャランを中詰めするが、クラッシャランとしてセメントコンクリートを原材料とした再生クラッシャランを中詰めしてもよい。
【００１８】
基盤３０を基準として用い、図４に示すように、土嚢４１を互いに隣接させて一続きにした１段を基盤３０上に載置して敷き並べる。道路１０１に対向する前面に位置する辺以外の基盤３０のコの字型の３辺に近接して土嚢４１を敷き並べる。一続きの段として基盤３０上に載置して敷き並べた土嚢４１の段の上に、同様に、土嚢４１を複数段積み上げ、図５（ａ）に示すように、土嚢４１がその厚さ方向に一列に並ぶように規則正しく積み上げる。この時、上下に位置する土嚢４１の口側４１ａと底側４１ｂとが互いに積み重なるように並べることが好ましい。このように土嚢４１を並べることにより、土嚢４１の天端の水平出し（レベル出し）を行なうことがより容易になる。なお、土嚢４１を一段若しくは複数段積み上げる毎に、プレートランマなどにより転圧し、土嚢４１の中詰材が均等になるように、土嚢４１の天端の水平出しを行なうことが好ましい。なお、図４に示すように、土嚢４１の土嚢袋の口が位置する口側４１ａと、土嚢袋の底部が位置する底側４１ｂとが、同一段の隣接する土嚢４１同士にて相接するように敷き並べることが好ましい。また、土嚢４１を一段積み上げる毎に、土嚢４１間の隙間に、目詰材としてクラッシャランまたは再生クラッシャランなどを撒き出すことが好ましく、土嚢４１間にシートを敷き、その上に目詰材を撒き出してもよい。これらによって、敷き並べた土嚢４１の天端の水平出しを行なうことがより容易になる。なお、本形態においては、厚さ１０ｃｍ程度の土嚢を５段積み上げているが、土嚢４１の積み上げ高さがコンクリート躯体１０の底壁１１の厚さを超えるように、土嚢４１を積み上げる段数を定める。また、図５（ｂ）に示すように、土嚢４１を上下段にて互いにずらして千鳥配置に積み上げて暗渠４００を形成してもよく、この場合には隅部の一部に長さの異なる土嚢４１０を使用する。このように、土嚢４１を千鳥配置に積み上げることにより、埋め戻し土砂７０の重みなどによる荷重を分散することができる。
【００１９】
車の出入口となる前面には、図４に示すように、桟木などの支保工５１によりコンクリートパネルなどの堰板５２を基盤３０上に固定し、木型枠５０を設置する。なお、コンクリート硬化後には、これらを取り除く。地下車庫１０の前面には排水溝１０２が設けられているので、土嚢による暗渠４０から流水した水が排水溝に導かれて排水する。
【００２０】
次に、図１（ｃ）に示すように、基盤３０に対して配筋を行なう配筋工程を行なう。基盤３０を基準として用い、コンクリート躯体１０の側壁１２を形成するための配筋を行う。この時、積み上げた土嚢４１は、その天端が水平に転圧されているので、配筋に用いる鉄筋６０などの運搬や設置作業においては、作業者の良好な足場として利用することができる。また、降雨などにより地表面などが泥状化していても、排水の良い砕石やクラッシャランを中詰めした土嚢４１を用いているので、積み上げた土嚢４１の天端では足元がぬかるむことがない。なお、暗渠形成工程の前に配筋工程を行なってもよいし、これらの工程を同時に行なってもよい。
【００２１】
次に、図２（ａ）に示すように、積み上げた土嚢４１を型枠としてコンクリートを打設しコンクリートからなる底壁１１を形成する底壁形成工程を行なう。積み上げた土嚢４１及び木型枠５０を型枠として用い、コンクリートを打設する。土嚢４１には、砕石やクラッシャランが中詰めされているので、土嚢４１の重量は重く、コンクリートの打設時に発生する側圧に耐えることができる。また、積み上げられた土嚢４１の天端は転圧によって水平になっているので、コンクリートを打設する作業者の良好な足場として利用することができる。コンクリートが硬化した後に、木型枠５０を脱枠し取り外すが、土嚢４１は取り除かないので、型枠を脱枠する作業を削減することができる。コンクリート躯体１０の底壁１１は、土嚢を用いた暗渠４０と一体化して形成される。
【００２２】
次に、図２（ｂ）に示すように、前記配筋工程にて配筋を行なった鉄筋６０を用いて底壁１１に連続するコンクリートからなる側壁１２を形成する側壁形成工程を行なう。鉄筋６０に型枠受金具などを取付け、この型枠受金具によってコンクリートパネルなどを支持することにより、左右両面及び背面の３面からなる側壁１２を一体に形成するための木型枠（不図示）を組付ける。この木型枠に対して、コンクリートを打設する。コンクリートが硬化した後に、木型枠を脱枠し取り外すことにより、コンクリート躯体１０の側壁１２が形成される。
【００２３】
次に、図２（ｃ）に示すように、土嚢を用いた暗渠４０の上部などに埋め戻し土砂７０を埋め戻す埋め戻し工程を行なう。コンクリート躯体１０の側壁１２の外側に、掘削工程にて掘削した土砂を埋め戻す。埋め戻し土砂７０を埋め戻した後に、プレートランマなどにより十分に転圧し、埋め戻し土砂７０の経年による体積収縮を防止する。積み上げた土嚢４１は転圧により破損することがないので、暗渠４０を形成した上部において十分な転圧を行なうことができる。最後に、コンクリート躯体１０の頂壁１３や、コンクリート躯体１０の上に位置する家屋本体１００などを構築する。なお、埋め戻し工程は、家屋本体１００の基礎などを形成した後に行なってもよい。
【００２４】
なお、土嚢４１を積み上げた暗渠４０の少なくとも上部を覆うように透水性不織布８０を固定する透水性不織布固定工程を、前記暗渠を備えたコンクリート躯体構築方法が更に具備することが好ましい。透水性不織布固定工程は、暗渠形成工程後かつ底壁形成工程前に行なうことが好ましい。例えば、図７に示すように、土嚢４１を用いた暗渠４０の上部と外側部を覆うように透水性不織布８０を固定する。これにより、土嚢４１を用いた暗渠４０の上に堆積される埋め戻し土砂７０などの細かな土砂が土嚢４１の中に侵入し目詰まりを起こすことを防止することができるので、排水機能を更に経年に渡って保持することができる。なお、埋め戻し土砂７０の粒子が細かい場合には、土嚢袋の隙間から埋め戻し土砂７０が土嚢４１内の空隙に入らないように、埋め戻し土砂７０の粒子よりも隙間が細かい透水性不織布８０を用いる。
【００２５】
なお、土嚢４１を用いた暗渠４０の排水溝１０２に面する端部には、図５（ａ）及び図５（ｂ）に示すように、網状のネットや蓋などによる暗渠端面部材９０を設けることが好ましい。この暗渠端面形成部材９０は、排水溝１０２から土嚢を用いた暗渠４０の端面が視認できるため、美観を目的に設けるものである。暗渠端面形成部材９０は、暗渠形成工程後かつ底壁形成工程前に設けることが好ましい。
【００２６】
以下、土嚢を用いた暗渠を備えたコンクリート躯体について、図面を参照しながら説明する。ここでは、コンクリート躯体１０として地下構造物である地下車庫１０を例に挙げて説明する。この地下車庫１０は、図３に示すように、家屋本体１００が構築された地盤２０の地表面ＧＬより低い位置に設けられている道路１０１に、道路１０１の端の排水溝１０２を挟んで、車の出入口である前面を開放して構築されたものである。このコンクリート躯体１０は、図６に示すように、地表面ＧＬより下に位置するコンクリートよりなる底壁１１と、この底壁１１から上方に連続して設けられコンクリートよりなる側壁１２と、多数の土嚢４１が互いに隣接して形成された一続きの段が複数段積み重なった底壁１１と隣接しその端部が排水溝１０２に面する暗渠４０と、側壁１２の上端面の上に前方に伸びるように設けられる頂壁１３とを具備している。
【００２７】
底壁１１は、地表面ＧＬより所定の深さだけ下方に位置し、所定厚さのコンクリートからなり略長方形の面を有するものである。その下面には、厚さ約５ｃｍの捨てコンクリートからなる水平な基盤３０が設けられている。底壁１１の内部には、鉄筋６０が配筋されている。側壁１２は、底壁１１から上方に連続して設けられ、コンクリートよりなるものである。側壁１２の内部には鉄筋６０が配筋されており、底壁１１内の鉄筋６０と締結されている。一方、頂壁１３は、側壁１２の上端面の上に連続して前方に伸びるように設けられ、コンクリートよりなるものである。頂壁１３の内部には鉄筋６０が配筋されており、側壁１２内の鉄筋６０と締結されている。
【００２８】
暗渠４０は、底壁１１の左右両側面及び背面に隣接しており、多数の土嚢４１が互いに隣接して形成された一続きの段が複数段積み重なったものであり、地下車庫であるコンクリート躯体１０の両側面や背面に流れ込む雨水や地下水を円滑に排水するために設けられるものである。ここで、土嚢４１として、例えば特許第３１８７８０４号にて開示されたものを用いることができる。ただし、土嚢４１には、砕石、クラッシャランや再生クラッシャランが中詰めされている。
【００２９】
土嚢４１は互いに隣接させて形成した一続きの段として基盤３０上に積み重なっており、道路１０１に対向する前面に位置する辺以外の基盤３０のコの字型の３辺に近接している。地下車庫１０の前面に設けられた排水溝１０２に、土嚢を積み重ねた暗渠４０がその端部を面しているので、地下車庫１０の両側面や背面に流れ込む雨水や地下水は暗渠４０によって排水溝１０２に導かれて排水される。土嚢４１は、図４を参考に示すように、土嚢袋の口が位置する口側４１ａと、土嚢袋の底部が位置する底側４１ｂとが、同一段の隣接する土嚢４１同士にて相接するように積み重なっていることが好ましい。また、土嚢４１間の隙間には、クラッシャランまたは再生クラッシャランなどによって目詰まりされていることが好ましい。土嚢４１はその厚さ方向に一列に並ぶように規則正しく、上下に位置する土嚢４１の口側４１ａと底側４１ｂとが互いに積み重なっていることが好ましい。また、図５（ｂ）を参考に示すように、上下段にて互いにずらして千鳥配置に土嚢４１が積み重ねられた暗渠４００であってもよい。このように、土嚢４１が千鳥配置に積み重ねられていることにより、埋め戻し土砂７０などによる荷重を分散することができる。なお、土嚢４１の積み重ね高さは、コンクリート躯体１０の底壁１１の厚さより高い。なお、コンクリート躯体１０の側壁１２の外側には、埋め戻し土砂７０が埋め戻され転圧されている。
【００３０】
なお、前記暗渠４０を備えたコンクリート躯体１０は、土嚢を用いた暗渠４０の少なくとも上部を覆う透水性不織布８０を更に具備することが好ましい。例えば、図７に示すように、土嚢を用いた暗渠４０の上部と外側部とを透水性不織布８０が覆っている。これにより、土嚢を用いた暗渠４０の上に堆積された埋め戻し土砂７０などの細かな土砂が土嚢４１の中に侵入し目詰まりを起こすことを防止することができるので、排水機能を更に経年に渡って保持することができる。なお、埋め戻し土砂７０の粒子が細かい場合には、土嚢袋の隙間から埋め戻し土砂７０が土嚢４１内の空隙に入らないように、埋め戻し土砂７０の粒子よりも隙間が細かい透水性不織布８０を用いる。
【００３１】
なお、土嚢４１を用いた暗渠４０の排水溝１０２に面する端部には、図５（ａ）及び図５（ｂ）を参考に示すように、網状のネットや蓋などによる暗渠端面部材９０を設けることが好ましい。この暗渠端面形成部材９０は、排水溝１０２から土嚢を用いた暗渠４０の端面が視認できるため、美観を目的に設けるものである。
【産業上の利用可能性】
【００３２】
コンクリート躯体及びその構築方法において、暗渠を必要とするもの等に適用することが可能である。
【図面の簡単な説明】
【００３３】
【図１】本発明の実施例に係る暗渠を備えたコンクリート躯体の構築方法を構築順序に沿って示す横断面図である。
【図２】図１に続く、暗渠を備えたコンクリート躯体の構築方法を構築順序に沿って示す横断面図である。
【図３】本発明の実施例に係る暗渠を備えたコンクリート躯体である地下車庫を示す概略縦断面図である。
【図４】図１（ｂ）に示す暗渠を備えたコンクリート躯体を構築する暗渠形成工程が完了した状態を示す上面図である。
【図５】図１（ｂ）に示す暗渠を備えたコンクリート躯体を構築する暗渠形成工程を完了した状態を示す縦断面図である。
【図６】図３に示した暗渠を備えたコンクリート躯体を示す縦断面図である。
【図７】図６に示した暗渠を備えたコンクリート躯体の暗渠に透水性不織布を覆った状態を示す部分拡大縦断面図である。
【符号の説明】
【００３４】
１０  コンクリート躯体、地下車庫
１１  底壁
１２  側壁
２０  地盤
３０  基盤
４０  土嚢を用いた暗渠
４１  土嚢
６０  配筋
８０  透水性不織布
【図１】
2005133306.tif 000003
【図２】
2005133306.tif 000004
【図３】
2005133306.tif 000005
【図４】
2005133306.tif 000006
【図５】
2005133306.tif 000007
【図６】
2005133306.tif 000008
【図７】
2005133306.tif 000009